(57)【要約】【課題】エアゾールの形態で使用される洗剤組成物であって、十分な洗浄力および発泡力を有し、さらにアフタードローを抑えたエアゾール用発泡性洗剤組成物の提供。【課題の解決手段】（Ａ）脂肪酸石鹸０．５〜５重量％、（Ｂ）界面活性剤０．５〜５重量％、（Ｃ）金属イオン封鎖剤０．５〜６重量％、（Ｄ）水溶性溶剤０．５〜２０重量％、（Ｅ）イオン交換水を含有してなる洗浄液をエアゾール容器に８２〜９２容量％、噴射剤として２０℃における圧力が０．２３〜０．５０ＭＰａのＬＰＧを８〜１８容量％充填してなり、さらにＰ値が４．０以上であることを特徴とするアフタードローを抑えたエアゾール用発泡性洗剤組成物。Ｐ値＝２０℃におけるＬＰＧの圧力（ＭＰａ）×ＬＰＧの充填量（容量％）【選択図】なし【特許請求の範囲】
【請求項１】
（Ａ）脂肪酸石鹸０．５〜５重量％、（Ｂ）界面活性剤０．５〜５重量％、（Ｃ）金属イオン封鎖剤０．５〜６重量％、（Ｄ）水溶性溶剤０．５〜２０重量％、（Ｅ）イオン交換水を含有してなる洗浄液をエアゾール容器に８２〜９２容量％、噴射剤として２０℃における圧力が０．２３〜０．５０ＭＰａのＬＰＧを８〜１８容量％充填してなり、さらにＰ値が４．０以上であることを特徴とするアフタードローを抑えたエアゾール用発泡性洗剤組成物。
Ｐ値＝２０℃におけるＬＰＧの圧力（ＭＰａ）×ＬＰＧの充填量（容量％）
【請求項２】
網戸やエアコンフィルターなどの網面の洗浄に用いられた場合に、網面への泡の付着率が７０％以上である請求項１に記載のアフタードローを抑えたエアゾール用発泡性洗剤組成物。
【発明の詳細な説明】
【技術分野】
【０００１】
本発明は、網戸やエアコンフィルター、窓ガラス、換気扇、トイレ、浴槽、自動車等の洗浄をするにあたり、エアゾールの形態で使用される洗剤組成物であって、十分な洗浄力および発泡力を有し、さらにアフタードローを抑えたエアゾール用発泡性洗剤組成物に関する。
【背景技術】
【０００２】
エアゾール用発泡性洗剤組成物として、従来、界面活性剤を１種あるいは複数組み合わせてなるものが知られている。しかし、これらの組成物では十分な洗浄力が得られないほか、発泡性が悪いものがほとんどだった。
泡を噴射するエアゾールは、スプレー後、ボタンの噴口付近に泡がたまるアフタードローが多い傾向があり、とくにステムから噴口先端までの距離が長いほど、泡が多くなり、この泡が容器をつたって手に付くという問題があった。
洗浄性、発泡性に優れるとともに刺激性がないエアゾール用発泡性洗剤組成物（特開平４−１３８００）の提案もあるが、洗浄性がよくないほか、アフタードローが多いなど不十分だった。
また、特に発泡性が重要とされる網戸の洗浄には、従来、スポンジやタワシ等でこすり洗いする方法や、市販の洗浄剤を用いて洗浄する方法が行われている。しかし、スポンジ等でこすり洗いする方法では網面を傷めたり、たるみを生じる恐れがある。また、網戸用の洗浄剤としていくつか市販されているが、これらは洗浄力が満足いくものでなかったり、網面にスプレーしたとき網面を通過する泡が多く、網面に十分な泡が付着しない等の問題があった。
また、本願出願人の出願による特開平１０−２６５８００号公報には、ｐＨが８〜１１の弱アルカリ性である網戸用洗浄剤組成物が記載されているが、泡の付着率改善に終始し、本願の主眼であるアフタードロー対策のために、噴射剤の圧力と容量を特定することについては、格別の検討が行われているわけではない。
【特許文献１】特開平４−１３８００号公報
【特許文献２】特開平１０−２６５８００号公報
【発明の開示】
【発明が解決しようとする課題】
【０００３】
本発明は、洗浄力および発泡力の良い洗浄液と、特定の圧力をもつＬＰＧの特定量を充填することによって、十分な洗浄力および発泡力を有し、さらにアフタードローを抑えたエアゾール用発泡性洗剤組成物を提供することを目的とする。
【課題を解決するための手段】
【０００４】
上記課題を解決するため、本発明は以下の構成を採用する。
（１）（Ａ）脂肪酸石鹸０．５〜５重量％、（Ｂ）界面活性剤０．５〜５重量％、（Ｃ）金属イオン封鎖剤０．５〜６重量％、（Ｄ）水溶性溶剤０．５〜２０重量％、（Ｅ）イオン交換水を含有してなる洗浄液をエアゾール容器に８２〜９２容量％、噴射剤として２０℃における圧力が０．２３〜０．５０ＭＰａのＬＰＧを８〜１８容量％充填してなり、さらにＰ値が４．０以上であることを特徴とするアフタードローを抑えたエアゾール用発泡性洗剤組成物。
Ｐ値＝２０℃におけるＬＰＧの圧力（ＭＰａ）×ＬＰＧの充填量（容量％）
（２）網戸やエアコンフィルターなどの網面の洗浄に用いられた場合に、網面への泡の付着率が７０％以上である（１）に記載のアフタードローを抑えたエアゾール用発泡性洗剤組成物。
【発明の効果】
【０００５】
本発明のエアゾール用発泡性洗剤組成物は、洗浄力および発泡力が高く、さらにアフタードローを抑えているため、使用感がよいので、その実用性は極めて高い。
【発明を実施するための最良の形態】
【０００６】
本発明で用いられる成分（Ａ）の脂肪酸石鹸としては飽和または不飽和のいずれであってもよく、炭素数８〜２２、特に１０〜１８のものが好ましい。具体的には、ラウリン酸、ミリスチン酸、パルミチン酸、ステアリン酸、オレイン酸、ヤシ油脂肪酸、牛脂脂肪酸などのアルカリ金属塩、アンモニウム塩、アミン塩が挙げられる。このうち特にラウリン酸ナトリウム、ラウリン酸カリウム、ヤシ油脂肪酸ナトリウム、ヤシ油脂肪酸カリウムが好ましい。これらの脂肪酸石鹸は、１種または２種以上を組み合わせて用いることができ、洗浄液中に０．５〜５重量％、好ましくは１〜３重量％配合される。０．５重量％未満では、十分な洗浄力および泡性能が得られず、５重量％を超えると、泡の飛び散りが多くなり不都合を生じる。
【０００７】
成分（Ｂ）の界面活性剤は、通常液体洗浄剤に使用されるアニオン、ノニオン、両性界面活性剤のいずれであってもよく、アニオン界面活性剤としては、例えばアルキルベンゼンスルホン酸塩、直鎖アルキルベンゼンスルホン酸塩、アルキル硫酸塩、α―オレフィンスルホン酸塩、アルキルりん酸エステル塩、ポリオキシエチレンアルキルエーテル硫酸塩、ポリオキシエチレンアルキルフェニルエーテル硫酸塩、ポリオキシエチレンアルキルエーテルりん酸塩などが挙げられ、ノニオン界面活性剤としては、例えばポリオキシエチレンアルキルエーテル、ポリオキシエチレンアルキルフェニルエーテル、脂肪酸アルカノールアミド、アミンオキシドなどが挙げられ、両性界面活性剤としては、例えばアルキルカルボキシベタイン型、アルキルアミノカルボン酸型、アルキルキミダゾリン型などが挙げられる。これらの界面活性剤は１種または２種以上を組み合わせて用いることができ、洗浄液中に０．５〜５重量％、好ましくは１〜２重量％配合される。０．５重量％未満および５重量％超では、発泡性が悪くなるため不都合を生じる。
【０００８】
成分（Ｃ）の金属イオン封鎖剤としては、クエン酸、リンゴ酸、コハク酸などの有機酸およびそれらの塩、エチレンジアミン四酢酸、ヒドロキシエチレンジアミン三酢酸、ニトリロ酢酸などのアミノカルボン酸およびそれらの塩、ポリアクリル酸ナトリウムなどのポリマーカルボキシレートが挙げられる。塩としては、ナトリウム、カリウムなどのアルカリ金属塩、アンモニウム塩、アミン塩が挙げられる。このうち特にクエン酸ナトリウムが好ましい。これらの金属イオン封鎖剤は１種または２種以上を組み合わせて用いることができ、洗浄液中に０．５〜６重量％、好ましくは２〜４重量％配合される。０．５重量％未満では十分な洗浄力が得られず、一方６重量％を超えると発泡性が悪くなるため不都合を生じる。
【０００９】
成分（Ｄ）の水溶性溶剤としては、アルコール、多価アルコールおよびその誘導体が挙げられ、具体的にはエタノール、イソプロピルアルコール、エチレングリコール、エチレングリコールモノエチルエーテル、エチレングリコールモノブチルエーテル、ジエチレングリコールモノエチルエーテル、ジエチレングリコールモノブチルエーテル、プロピレングリコール、プロピレングリコールモノエチルエーテル、プロピレングリコールモノブチルエーテル、ジプロピレングリコールモノエチルエーテル、ジプロピレングリコールモノブチルエーテルなどが挙げられる。このうち特にエタノール、イソプロピルアルコールが好ましい。これらの水溶性溶剤は１種または２種以上を組み合わせて用いることができ、洗浄液中に０．５〜２０重量％、好ましくは５〜１８重量％配合される。０．５重量％未満では十分な洗浄力および泡性能が得られず、２０重量％を超えると、泡の飛び散りが多くなり不都合を生じる。
【００１０】
本発明に用いられる噴射剤としては、２０℃における圧力が０．２３〜０．５０ＭＰａのＬＰＧを８〜１８容量％、好ましくは０．２８〜０．４５ＭＰａのＬＰＧを１０〜１５容量％充填される。圧力０．２３ＭＰａ未満または８容量％未満では発泡性が悪くなったり、アフタードローが多くなるなどの不都合を生じ、圧力０．５０ＭＰａ超または１８容量％を超えると、泡の飛びちりが多くなり不都合を生じる。
さらに使用するＬＰＧの圧力（ＭＰａ）と充填量（容量％）の積であるＰ値が４．０以上になるよう調整される。Ｐ値が４．０未満ではボタンの噴口付近に泡がたまるアフタードローが多くなるなど不都合を生じる。
【００１１】
また、本発明のエアゾール用発泡性洗剤組成物には、更に、ｐＨ調整剤、除菌剤、虫除け剤、香料等を適宜配合してもよい。
【００１２】
本発明に用いられる噴射ボタンとしては泡を形成するボタンであればいずれであってもよいが、ステムから噴口先端までの距離が５〜５０ｍｍであることが好ましい。５０ｍｍを超えるとボタンの噴口付近に泡がたまるアフタードローが多くなるなど不都合を生じる。
【００１３】
具体的実施例に基づいて、本発明のエアゾール用発泡性洗剤組成物をさらに詳細に説明する。
【実施例１】
【００１４】
表１〜３に示す組成の実施例および比較例を調製し、洗浄力試験、泡性能試験を行った。このときのＬＰＧの圧力は２０℃で０．４４ＭＰａ、配合量は１０容量％の一定とした。また、噴射ボタンはプリシジョンバルブ株式会社製ミニアクユーゾルＳＰＣアクア孔径０．６４ｍｍを使用し、ステムから噴口までの距離は約４５ｍｍとした。
【００１５】
【表１】
2008106156.tif 000002
【００１６】
【表２】
2008106156.tif 000003
【００１７】
【表３】
2008106156.tif 000004
【実施例２】
【００１８】
次に、洗浄液は同じものを用い、ＬＰＧの圧力と配合量を変えて試験を行った。すなわち、
表４に示す組成の実施例および比較例を調製し、下記の洗浄力試験、泡性能試験を行った。
（１）洗浄力試験
屋外に長期間放置した網戸の網面に実施例および比較例のエアゾール用発泡性洗剤組成物をスプレーし、５分間放置後、水洗して、網面の洗浄状態を観察し、以下の基準で評価した。
○：汚れが完全に落ちた
△：汚れが一部残った
×：汚れがほとんど落ちていなかった
（２）泡性能
網戸の網面に実施例および比較例のエアゾール用発泡性洗剤組成物をスプレーしたときの、発泡性、泡の飛び散り、そしてアフタードローを観察し、以下の基準で評価した。また、泡の付着率については、重量を測定できる網戸（３０×３０ｃｍ）の網面に実施例および比較例のエアゾール用発泡性洗剤組成物をスプレーし、スプレー前後の網の重量変化より付着率を求めた。
＜発泡性＞          ＜泡の飛び散り、アフタードロー＞
○：発泡性がよい          ○：ほとんどない
△：発泡はするが、十分ではない      △：少しある
×：ほとんど発泡しない        ×：多い
【００１９】
【表４】
2008106156.tif 000005
【００２０】
試験の結果、本実施例のエアゾール用発泡性洗剤組成物はいずれも網戸の洗浄に際して、擦ることなく汚れを落とし、しかも発泡性がよく、さらにアフタードローがほとんどないという特徴を有していた。
これに対し、比較例に示す如く、成分（Ａ）を配合しない場合（比較例（１））、成分（Ｃ）の配合量が所定量に満たない場合（比較例（５））、成分（Ｄ）を配合しない場合（比較例（７）、（９））は洗浄力が不十分であった。また、成分（Ａ）を配合しない場合（比較例（１））、成分（Ｂ）を配合しない場合（比較例（３））、成分（Ｂ）の配合量が所定量を超える場合（比較例（４）、（９））、成分（Ｃ）の配合量が所定量を超える場合（比較例（６））、成分（Ｄ）を配合しない場合（比較例（７）、（９））、Ｐ値が４．０未満である場合（比較例（１０）、（１１））はアフタードローが多かった。成分（Ａ）の配合量が所定量を超える場合（比較例（２））、成分（Ｃ）の配合量が所定量を超える場合（比較例（６））、成分（Ｄ）の配合量が所定量を超える場合（比較例（８））や所定の圧力を超えるＬＰＧを使用した場合（比較例（１２））は泡の飛び散りが多かった。
成分（Ａ）を配合しない場合（比較例（１）、（９））、成分（Ｂ）を配合しない場合（比較例（３））、成分（Ｂ）の配合量が所定量を超える場合（比較例（４）、（９））、成分（Ｃ）の配合量が所定量を超える場合（比較例（６））、成分（Ｄ）を配合しない場合（比較例（７）、（９））、所定の圧力を下回るＬＰＧを使用した場合（比較例（１０））は発泡性が悪いため、網面を通過する泡が多く、網面に付着した泡量は７０％を下回っていた。
エアゾール用発泡性洗剤組成物（特開平４−１３８００）に記載されている実施例を参考にした場合（比較例（９））は洗浄力、発泡性、アフタードローについてはいずれも満足いくものではなかった。
従って、泡性能の評価が重要なエアゾール用発泡性洗剤組成物においては、特定の成分を特定の量配合した本発明洗剤組成物の有用性は明らかである。
【産業上の利用可能性】
【００２１】
本発明のアフタードローを抑えたエアゾール用発泡性洗剤組成物は、網戸やエアコンフィルター、窓ガラス、換気扇、トイレ、浴槽、自動車の洗浄の他、泡を噴射して対象面に付着させるようなエアゾール製品に利用できる可能性がある。